(57)【要約】【課題】  部品数を増やすことなく外周面の滑りを防止でき、汚れにくく、また美感を高めて高級感や斬新さを醸し出すことができるよう形成した筆記具を提供する。【解決手段】  軸１の外周面を、旋回する複数の帯状の筋２で螺旋形状に形成する。この場合、帯状の筋２を、軸１の先端側において軸１の長手方向に沿って延びる直線状部分７に連ねるのが良い。また本考案は、帯状の筋２を、軸１の基端から先端に向かって徐々に幅狭状に形成するのが良い。【選択図】  図１
0003193188.tif 000002
【実用新案登録請求の範囲】
【請求項１】
軸の外周面が、旋回する帯状の筋を複数備えて螺旋形状に形成されていることを特徴とする筆記具。
【請求項２】
請求項1記載の筆記具であって、夫々の帯状の筋が、軸の先端側において軸の長手方向に沿って延びる直線状部分に連ねられていることを特徴とする筆記具。
【請求項３】
請求項１又は２記載の筆記具であって、帯状の筋が、軸の基端から先端に向かって徐々に幅狭状に形成されていることを特徴とする筆記具。
【考案の詳細な説明】
【技術分野】
【０００１】
本考案は、ボールペン、万年筆、筆などの筆記具に関し、更に詳しくは軸を螺旋形に形成した筆記具に関するものである。
【背景技術】
【０００２】
従来、この種の筆記具としては、例えば特許文献１に記載されているものがある。この従来品は、鍔状突起あるいは螺旋状突起を有する中軸部と、この中軸部に被せるカバー体とで形成されている。そして、この従来品は、突起と突起の間が係止溝に形成されている。
【０００３】
而して、この従来品の場合は、上記の通り、グリップが中軸部とカバー体とで形成されていたから、これによると、部品数が多くなり、その分、コストが高くなるのを避けられなかった。
【０００４】
またこの従来品は、突起と突起の間に係止溝を有するため、この係止溝に手垢などがついてグリップが汚れ易い、という問題点があった。
更に、この従来品は、突起や係止溝が目障りになり、筆記具の全体の美感を損ない易い、という問題点があった。
【先行技術文献】
【特許文献】
【０００５】
【特許文献１】特開２００５−２９７３３７号公報
【考案の概要】
【考案が解決しようとする課題】
【０００６】
本考案は、このような従来技術の問題点に鑑み、提案されたものである。
従って、本考案の解決しようとする技術的課題は、部品数を増やすことなく、外周面の滑りを防止でき、汚れにくく、また美感を高めて高級感や斬新さを醸し出すことができるよう形成した筆記具を提供することにある。
【課題を解決するための手段】
【０００７】
本考案は、上記の課題を解決するため、次のような技術的手段を採る。
即ち、本考案は、図１等に示されるように、軸１の外周面が、旋回する帯状の筋２を複数備えて螺旋形状に形成されていることを特徴とする（請求項１）。
【０００８】
この場合、本考案は、夫々の帯状の筋２が、軸１の先端側において軸１の長手方向に沿って延びる直線状部分７に連ねられているのが好ましい（請求項２）。
【０００９】
なぜならこれによると、指の腹が直線状部分７にフィットし、把持し易くなるからである。
【００１０】
また本考案は、帯状の筋２が、軸１の基端から先端に向かって徐々に幅狭状に形成されているのが好ましい（請求項３）。
【００１１】
なぜならこれによると、軸１の基端側を太く、先端に向かって細くなるよう軸１を形成でき、軸１を一層把持し易くなるからである。
【考案の効果】
【００１２】
本考案は、このように軸の外周面が、旋回する帯状の筋を複数備えて螺旋形状に形成されている。
【００１３】
従って、本考案によれば、部品数を増やすことなく滑りを防止できる。
また本考案は、軸に溝などの段差がないため、これによれば、グリップ部分が手垢等で汚れる心配がない。
【００１４】
また本考案は、軸の外周面が複数の帯状の筋で螺旋状に形成されている。
従って、これによれば、全体の美観が良くなり、高級感や斬新さを醸し出すことができる。
【図面の簡単な説明】
【００１５】
【図１】本考案筆記具の好適な一実施形態を示す斜視図である。
【図２】同上筆記具の側面図である。
【図３】同上筆記具の背面図である。
【図４】同上筆記具の底面図である。
【図５】同上筆記具の平面図である。
【図６】同上筆記具の正面図である。
【図７】図６のＶＩＩ−ＶＩＩ線における断面図である。
【図８】図６のＶＩＩＩ−ＶＩＩＩ線における断面図である。
【図９】同上筆記具の他の実施形態を示す側面図である。
【図１０】同上筆記具の更に他の実施形態を示す斜視図である。
【図１１】図１０の実施形態に係る本発明品の側面図である。
【図１２】図１０の実施形態に係る本発明品の背面図である。
【図１３】図１０の実施形態に係る本発明品の底面図である。
【図１４】図１０の実施形態に係る本発明品の平面図である。
【図１５】図１０の実施形態に係る本発明品の他の実施形態を示す正面図である。
【考案を実施するための形態】
【００１６】
以下、本考案を実施するための好適な一実施形態を、添付図面に従って説明する。
この実施形態の場合、本考案は、筆記具としてのボールペンに実現されている。
本考案は、図１等に示されるように、軸１の外周面が、旋回する帯状の筋２を複数備えて螺旋形状に形成されている。
【００１７】
軸１は、この実施形態では黒檀であり、表面が磨かれて、つや出し加工されている。また軸１は、基端側が太く、先端に向かって細くなるよう先細り状に形成されている。
【００１８】
軸１の基端側は、クリップ３を介して金属キャップ４が取り付けられている。また軸１の先端側に先細り状の円錐型キャップ５がねじ付けられている。そして、インク芯６（図７等参照）のペン先６ａ（図１等参照）が、頭部の金属キャップ４の回転操作で出没可能に形成されている。
【００１９】
またこの実施形態の本考案は、帯状の筋２が、軸１の基端から先端に向かって徐々に幅狭状に形成され、軸１の先端側において軸１の長手方向に沿って延びる直線状部分７に連ねられている。この実施形態では、この直線状部分７に、親指、人差し指、中指の３本の指の腹がフィットするため、書き易くなるものである。
【００２０】
また筋２は、この実施形態では図１等に示されるように、軸心を中心に６０度づつずらされて同じ幅で６本形成されている。また筋２は、図５に示されるように、上から見て凹湾曲面状に形成され、筋２と筋２の間の稜線が盛り上げられている。これにより、軸１を把持したとき、滑りが防止され、また斬新なデザインの筆記具を提供できる。またこの実施形態の場合、筋２は、軸１の基端から先端に向かって軸心を中心に９０度ねじられ、直線状部分７に接続するよう形成されている。
【００２１】
而して、本考案は、このように形成されているため、使用者は、親指、人差し指、中指の３本の指で直線状部分７を把持して使用する。
この場合、本考案は、各指の腹を、直線状部分７にフィットできる。従って、本考案によれば、持ち易くなり、筆記し易くなる、という利点がある。
【００２２】
以上の処において、上例では、軸１に直線状部分７が形成されているが、本考案は、これに限定されるものではない。即ち、本考案は、図９に示されるように、直線状部分７が省略され、筋２が軸１の基端から先端まで旋回状に形成されているのでも良い。
【００２３】
また本考案の場合、軸１の材質は、任意である。即ち、軸１は、黒檀等の木材に代え、例えば金属材や合成樹脂材で形成されているのでも良い。従って、本考案の場合、筋２は、軸１の材質によって削り出しや成型等の加工法によって適宜形成されるので良い。
【００２４】
また上例では軸１が、基端から先端にわたって連続状に形成されているが、本考案はこれに限定されるものではない。
即ち、本考案は、図１０〜図１５に示されるように、軸１が、上側のピース１ａと下側のピース１ｂとで形成されているのでも良い。１ｃは、上側のピース１ａと下側のピース１ｂを連結する部分である。この連結部分１ｃは、例えば軸１の材質とは異なる金属材等で形成されている。
【００２５】
なお、本考案は、筆記具であればボールペンには限られず、その他、例えば万年筆、鉛筆、フェルトペン、絵筆、化粧筆等に実現されるのでも良い。また本考案の場合、帯状の筋２の本数や、幅、旋回具合（旋回角度）等は自由である。
【符号の説明】
【００２６】
１      軸
２      筋
３      クリップ
４      金属キャップ
５      円錐型キャップ
６      インク芯
７      直線状部分
【図１】
0003193188.tif 000003
【図２】
0003193188.tif 000004
【図３】
0003193188.tif 000005
【図４】
0003193188.tif 000006
【図５】
0003193188.tif 000007
【図６】
0003193188.tif 000008
【図７】
0003193188.tif 000009
【図８】
0003193188.tif 000010
【図９】
0003193188.tif 000011
【図１０】
0003193188.tif 000012
【図１１】
0003193188.tif 000013
【図１２】
0003193188.tif 000014
【図１３】
0003193188.tif 000015
【図１４】
0003193188.tif 000016
【図１５】
0003193188.tif 000017